(57)【要約】  軸光度が高く、かつ照射ムラが発生しにくい発光装置を提供する。発光装置は、基板と、基板上に固定された円形の樹脂枠と、樹脂枠により囲まれた基板上の領域の中央に設けられた矩形の中央領域に格子状に実装された第１の複数のＬＥＤ素子と、樹脂枠および中央領域の各辺により画定される基板上の外周領域において中央領域の四方にそれぞれ実装され、第１の複数のＬＥＤ素子に並列に接続された第２から第５の複数のＬＥＤ素子と、第１から第５の複数のＬＥＤ素子を一体的に封止する封止樹脂とを有する。
2018061889.tif 000002
【特許請求の範囲】
【請求項１】
基板と、
前記基板上に固定された円形の樹脂枠と、
前記樹脂枠により囲まれた前記基板上の領域の中央に設けられた矩形の中央領域に格子状に実装された第１の複数のＬＥＤ素子と、
前記樹脂枠および前記中央領域の各辺により画定される前記基板上の外周領域において前記中央領域の四方にそれぞれ実装され、前記第１の複数のＬＥＤ素子に並列に接続された第２から第５の複数のＬＥＤ素子と、
前記第１から第５の複数のＬＥＤ素子を一体的に封止する封止樹脂と、
を有することを特徴とする発光装置。
【請求項２】
前記中央領域は、前記基板上において四隅が前記樹脂枠に接触するように設けられ、
前記外周領域として、前記中央領域の四方に半月状の４つの外周領域が設けられ、
前記第２から第５の複数のＬＥＤ素子は、前記４つの外周領域にそれぞれ実装されている、請求項１に記載の発光装置。
【請求項３】
前記第１の複数のＬＥＤ素子は互いに直並列に接続され、
前記第２から第５の複数のＬＥＤ素子のそれぞれの個数は、前記第１の複数のＬＥＤ素子の１つの直列接続に含まれる素子数または前記素子数の整数倍に等しい、請求項２に記載の発光装置。
【請求項４】
前記基板は、前記基板の対角に配置された１対の電極端子、および前記第１から第５の複数のＬＥＤ素子と前記１対の電極端子とを電気的に接続するための１対の配線パターンを有し、
前記配線パターンのうちの一方は、隣り合う２つの前記外周領域の円弧状の縁部、および前記中央領域と残り２つの前記外周領域との直線状の境界に沿って配置され、
前記配線パターンのうちの他方は、前記基板の中心に関して前記配線パターンのうちの前記一方と点対称に配置されている、請求項２または３に記載の発光装置。
【請求項５】
前記基板は、
前記第１から第５の複数のＬＥＤ素子が実装された金属基板と、
前記中央領域に対応する位置に形成された矩形の中央開口部、および前記４つの外周領域にそれぞれ対応する位置に形成された４つの外周開口部を有し、前記１対の電極端子および前記１対の配線パターンが上面に設けられ、前記金属基板の上面に固定された回路基板と、
を有する、請求項４に記載の発光装置。
【請求項６】
前記第１から第５の複数のＬＥＤ素子の配置は、前記基板の中心に関して９０度回転対称である、請求項１〜５のいずれか１項に記載の発光装置。
【請求項７】
前記封止樹脂を覆うように前記基板上に載置され、前記第１から第５の複数のＬＥＤ素子から前記封止樹脂を通して出射した光を集光する光学素子をさらに有する、請求項１〜６のいずれか１項に記載の発光装置。
【発明の詳細な説明】
【技術分野】
【０００１】
本発明は、発光装置に関する。
【背景技術】
【０００２】
セラミック基板または金属基板などの汎用基板の上に発光素子として複数のＬＥＤ（発光ダイオード）素子が実装されたＣＯＢ（Chip On Board）の発光装置が知られている。こうした発光装置では、蛍光体を含有する透光性の樹脂によりＬＥＤ素子が封止されており、ＬＥＤ素子からの光と、ＬＥＤ素子からの光により蛍光体を励起させて得られる光とを混合させることにより、用途に応じて白色光などが得られる。【０００３】
例えば、特許文献１には、基板上に形成された複数の発光素子と、複数の発光素子を埋め込む封止体とを備え、封止体が蛍光体を含有し隔壁によって複数の領域に分離されている発光装置が記載されている。この発光装置では、複数の領域のうち、第１の領域に埋め込まれた発光素子のうち１つの発光素子と、第２の領域に埋め込まれた発光素子のうち１つの発光素子とが渡し電極により接続され、渡し電極は基板と隔壁との間に挟まれるように配置されている。【０００４】
また、特許文献２には、基板上の四角形状の実装パッドの上に青色ＬＥＤおよび赤色ＬＥＤが交互かつマトリクス状に実装されて複数の素子列が形成され、複数の素子列うちの３列ずつが直列に接続されて６個の直列回路が形成され、これらの直列回路が一対の給電端子に対して並列に接続された発光装置が記載されている。
【先行技術文献】
【特許文献】
【０００５】
【特許文献１】特開２０１４−１７９６５３号公報
【特許文献２】特開２０１１−２１６８６８号公報
【発明の概要】
【０００６】
特に、照明用途の発光装置では、光軸となる中央領域を明るくする必要があるため、軸光度をなるべく高くすることが求められている。軸光度を向上させるためには、発光部の中央領域に、正方実装など、矩形の格子状に高密度でＬＥＤ素子を実装することが不可欠である。しかしながら、矩形の格子状にＬＥＤ素子を実装して矩形の発光領域を構成すると、発光領域の形状を反映して、照射面上に光の矩形の輪郭（照射ムラ）ができてしまう。こうした照射ムラは、発光部の上にレンズを配置し、レンズを通して発光部からの出射光を集光する場合に、特に顕著に見られる。
【０００７】
そこで、本発明は、軸光度が高く、かつ照射ムラが発生しにくい発光装置を提供することを目的とする。
【０００８】
基板と、基板上に固定された円形の樹脂枠と、基板上において四隅が樹脂枠に接触するように設けられた矩形の中央領域に格子状に実装された第１の複数のＬＥＤ素子と、樹脂枠および中央領域の各辺により画定される基板上の４つの外周領域にそれぞれ実装され、第１の複数のＬＥＤ素子に並列に接続された第２から第５の複数のＬＥＤ素子と、第１から第５の複数のＬＥＤ素子を一体的に封止する封止樹脂とを有する発光装置が提供される。
【０００９】
基板と、基板上に固定された円形の樹脂枠と、樹脂枠により囲まれた基板上の領域の中央に設けられた矩形の中央領域に格子状に実装された第１の複数のＬＥＤ素子と、樹脂枠および中央領域の各辺により画定される基板上の外周領域において中央領域の四方にそれぞれ実装され、第１の複数のＬＥＤ素子に並列に接続された第２から第５の複数のＬＥＤ素子と、第１から第５の複数のＬＥＤ素子を一体的に封止する封止樹脂とを有する発光装置が提供される。
【００１０】
上記の発光装置では、中央領域は、基板上において四隅が樹脂枠に接触するように設けられ、外周領域として、中央領域の四方に半月状の４つの外周領域が設けられ、第２から第５の複数のＬＥＤ素子は、４つの外周領域にそれぞれ実装されていることが好ましい。
【００１１】
上記の発光装置では、第１の複数のＬＥＤ素子は互いに直並列に接続され、第２から第５の複数のＬＥＤ素子のそれぞれの個数は、第１の複数のＬＥＤ素子の１つの直列接続に含まれる素子数または素子数の整数倍に等しいことが好ましい。
【００１２】
上記の発光装置では、基板は、基板の対角に配置された１対の電極端子、および第１から第５の複数のＬＥＤ素子と１対の電極端子とを電気的に接続するための１対の配線パターンを有し、配線パターンのうちの一方は、隣り合う２つの外周領域の円弧状の縁部、および中央領域と残り２つの外周領域との直線状の境界に沿って配置され、配線パターンのうちの他方は、基板の中心に関して配線パターンのうちの一方と点対称に配置されていることが好ましい。
【００１３】
上記の発光装置では、基板は、第１から第５の複数のＬＥＤ素子が実装された金属基板と、中央領域に対応する位置に形成された矩形の中央開口部、および４つの外周領域にそれぞれ対応する位置に形成された４つの外周開口部を有し、１対の電極端子および１対の配線パターンが上面に設けられ、金属基板の上面に固定された回路基板とを有することが好ましい。
【００１４】
上記の発光装置では、第１から第５の複数のＬＥＤ素子の配置は、基板の中心に関して９０度回転対称であることが好ましい。
【００１５】
上記の発光装置では、封止樹脂を覆うように基板上に載置され、第１から第５の複数のＬＥＤ素子から封止樹脂を通して出射した光を集光する光学素子をさらに有することが好ましい。
【００１６】
上記の発光装置によれば、本構成を有しない場合と比べて、軸光度が高く、かつ照射ムラが発生しにくい。
【図面の簡単な説明】
【００１７】
【図１】発光装置１の上面図である。
【図２】（Ａ）〜（Ｃ）は、金属基板１０、回路基板２０および基板５の上面図である。
【図３】発光装置１におけるＬＥＤ素子４１〜４５の配置を示す上面図である。
【図４】レンズ６０付きの発光装置２の概略構成図である。
【図５】（Ａ）および（Ｂ）は、発光装置１と比較例の発光装置１００の素子配置を示す上面図である。
【図６】（Ａ）および（Ｂ）は、発光装置１と発光装置１００とで照射ムラの程度を比較するための写真である。
【図７】（Ａ）〜（Ｃ）は、発光装置１の製造工程を示す上面図である。
【図８】（Ａ）および（Ｂ）は、セラミック基板１０’とそれを用いた別の発光装置の基板５’の上面図である。
【図９】（Ａ）〜（Ｃ）は、基板５’を有する別の発光装置の製造工程を示す上面図である。
【発明を実施するための形態】
【００１８】
以下、図面を参照して、発光装置について詳細に説明する。ただし、本発明は図面または以下に記載される実施形態には限定されないことを理解されたい。
【００１９】
図１は、発光装置１の上面図である。発光装置１は、主要な構成要素として、基板５、樹脂枠３０、ＬＥＤ素子４１〜４５（図３を参照）および封止樹脂５０を有する。発光装置１は、発光素子として多数のＬＥＤ素子を含むＣＯＢの照明パッケージであり、例えば投光器、高天井照明、スタジアム照明、イルミネーションなどの照明装置のＬＥＤ光源として利用される。
【００２０】
図２（Ａ）〜図２（Ｃ）は、それぞれ、金属基板１０、回路基板２０および基板５の上面図である。基板５は、金属基板１０と、金属基板１０の上に重ね合わされた回路基板２０とで構成され、回路基板２０の上面には、一部の領域を除いてレジスト２７が設けられている。
【００２１】
金属基板１０は、耐熱性および放熱性に優れたアルミニウムで構成され、その上面にＬＥＤ素子４１〜４５が実装される平坦な基板である。金属基板１０は、一例として、数ｃｍ角程度の大きさの正方形の形状を有する。金属基板１０の対角線上で向かい合う（図２（Ａ）の右上および左下の）２つの頂点付近には、発光装置１を照明器具などに取り付けるための２つの固定用貫通穴（位置決め孔）１８が設けられている。金属基板１０は、ＬＥＤ素子４１〜４５および後述する蛍光体の粒子により発生した熱を放熱させる放熱基板としても機能する。なお、金属基板１０の材質は、耐熱性と放熱性に優れたものであれば、例えば銅などの別の金属でもよい。
【００２２】
回路基板２０は、例えばガラスエポキシ基板などの絶縁性の基板であり、一例として、金属基板１０と同じ大きさの正方形の形状を有する。回路基板２０にも、対角線上で向かい合う（図２（Ｂ）の右上および左下の）２つの頂点付近には、金属基板１０と同様に２つの固定用貫通穴（位置決め孔）２８が設けられている。回路基板２０は、固定用貫通穴２８の位置が金属基板１０の固定用貫通穴１８の位置と合うように、その下面が例えば接着シートにより金属基板１０の上面に貼り付けられて固定されている。
【００２３】
図２（Ｂ）に示すように、回路基板２０は、その中央に正方形の中央開口部（貫通孔）２１１を有する。また、回路基板２０は、中央開口部２１１の正方形の各辺に近接する位置に形成された４つの外周開口部（貫通孔）２１２〜２１５を有する。外周開口部２１２〜２１５は、それぞれ、図２（Ｂ）における中央開口部２１１の左側、上側、右側および下側に配置されている。回路基板２０の外周側における外周開口部２１２〜２１５の縁部は、それぞれ円弧状であり、回路基板２０の中央を中心とする同一円周上に位置している。また、回路基板２０の中央側における外周開口部２１２〜２１５の縁部は、それぞれ、その外周開口部が対向する中央開口部２１１の辺に平行な直線状である。
【００２４】
図２（Ｃ）に示すように、外周開口部２１２〜２１５と中央開口部２１１とに挟まれた回路基板２０の直線部分を、それぞれ接続領域２６２〜２６５と呼ぶ。また、中央開口部２１１内で露出している金属基板１０の上面を中央領域１１１と呼び、外周開口部２１２〜２１５内で露出している金属基板１０の上面を、それぞれ、外周領域１１２〜１１５と呼ぶ。外周領域１１２〜１１５は、樹脂枠３０および中央領域１１１の各辺により画定される基板５上の４つの領域ということもできる。中央領域１１１は、円形の樹脂枠３０により囲まれた金属基板１０上の領域の中央に設けられ、四隅が樹脂枠３０に接触する正方形である。外周領域１１２〜１１５は、中央領域１１１の正方形が内接する円からその正方形内の領域を除いた形状を有する。
【００２５】
また、図２（Ｂ）に示すように、回路基板２０の上面には、１対の配線パターン２２，２３が設けられている。これらの配線パターンは、例えば金メッキにより形成される。
【００２６】
配線パターン２２は、円弧部分２２Ａ、直線部分２２ＢおよびＬ字部分２２Ｃで構成される。円弧部分２２Ａは、固定用貫通穴２８が設けられていない回路基板２０の左上の頂点付近から、隣り合う２つの外周開口部２１２，２１５（外周領域１１２，１１５）の円弧状の縁部に沿って延び、回路基板２０の外周側に配置されている。直線部分２２Ｂは、回路基板２０の左上の頂点付近から、中央開口部２１１と外周開口部２１２の間における接続領域２６２の長手方向の中間付近まで配置されている。Ｌ字部分２２Ｃは、回路基板２０の左上の頂点付近から、中央開口部２１１と外周開口部２１３の間における接続領域２６３の全長にわたって延び、さらに９０度折れ曲がって、中央開口部２１１と外周開口部２１４の間における接続領域２６４の長手方向の中間付近まで配置されている。すなわち、Ｌ字部分２２Ｃは、中央領域１１１と外周領域１１３，１１４との直線状の境界に沿って配置されている。
【００２７】
配線パターン２３は、円弧部分２３Ａ、直線部分２３ＢおよびＬ字部分２３Ｃで構成される。円弧部分２３Ａは、固定用貫通穴２８が設けられていない回路基板２０の右下の頂点付近から、隣り合う２つの外周開口部２１４，２１３（外周領域１１４，１１３）の円弧状の縁部に沿って延び、回路基板２０の外周側に配置されている。直線部分２３Ｂは、回路基板２０の右下の頂点付近から、中央開口部２１１と外周開口部２１４の間における接続領域２６４の長手方向の中間付近まで配置されている。Ｌ字部分２３Ｃは、回路基板２０の右下の頂点付近から、中央開口部２１１と外周開口部２１５の間における接続領域２６５の全長にわたって延び、さらに９０度折れ曲がって、中央開口部２１１と外周開口部２１２の間における接続領域２６２の長手方向の中間付近まで配置されている。すなわち、Ｌ字部分２３Ｃは、中央領域１１１と外周領域１１５，１１２との直線状の境界に沿って配置されている。
【００２８】
配線パターン２３は、回路基板２０の中心に関して配線パターン２２と点対称に配置されている。すなわち、円弧部分２２Ａ、直線部分２２ＢおよびＬ字部分２２Ｃと、円弧部分２３Ａ、直線部分２３ＢおよびＬ字部分２３Ｃとは、互いに同じ形状を有し、点対称に配置されている。このように、基板５では、外周開口部２１２〜２１５に外接する円の内部が、直線状の接続領域２６２〜２６５によって、正方形の中央領域１１１と半月状の４つの外周領域１１２〜１１５に区切られている。そして、接続領域２６２〜２６５の上には、接続領域２６２，２６４の中央部分を除いて、配線パターン２２，２３の直線部分２２Ｂ，２３ＢおよびＬ字部分２２Ｃ，２３Ｃが正方形状に配置されている。
【００２９】
また、図２（Ｃ）に示すように、回路基板２０の上面には、外周開口部２１２〜２１５の円弧状の縁部、接続領域２６２〜２６５、ならびに回路基板２０の左上および右下の頂点付近の一部を除いて、白色のレジスト２７が設けられている。
【００３０】
また、図１および図２（Ｃ）に示すように、回路基板２０の上面において、対角線上で向かい合う（図２（Ｂ）の左上および右下の）２つの頂点付近には、１対の電極端子２４，２５が設けられている。電極端子２４，２５は配線パターン２２，２３とそれぞれ一体に形成されており、これらの図では、配線パターン２２，２３のうちで、回路基板２０の頂点付近においてレジスト２７によって覆われていない部分を、それぞれ電極端子２４，２５として示している。電極端子２４，２５は一方がアノード電極、他方がカソード電極であり、これらを外部電源に接続して電圧を印加することにより、後述するＬＥＤ素子４１〜４５に配線パターン２２，２３を介して電力が供給され、発光装置１は発光する。
【００３１】
樹脂枠３０は、封止樹脂５０の流出しを防止するためのダム材である。樹脂枠３０は、外周開口部２１２〜２１４の円周の大きさに合わせて形成された円環状の枠体であり、配線パターン２２，２３の円弧部分２２Ａ，２３Ａを覆うように、外周開口部２１２〜２１４の円弧状の縁部に沿って回路基板２０の上面に固定されている。また、樹脂枠３０は、例えば白色粒子が混入された不透明なシリコーン樹脂で構成され、反射性を有する。これにより、後述するＬＥＤ素子４１〜４５から斜め上方に出射された光が発光装置１の正面に向けて反射するため、発光装置１の正面における発光強度が高くなる。
【００３２】
図３は、発光装置１におけるＬＥＤ素子４１〜４５の配置を示す上面図である。図３では、樹脂枠３０と封止樹脂５０の図示を省略している。ＬＥＤ素子４１〜４５は、上面に１対の素子電極を有し、図３に示すように、隣接する２つのＬＥＤ素子の素子電極同士は、ボンディングワイヤ（以下、単にワイヤという）４６により電気的に接続されている。
【００３３】
ＬＥＤ素子４１〜４５は、それぞれ、例えば発光波長帯域が４５０〜４６０ｎｍ程度の青色光を発する青色ＬＥＤである。ただし、ＬＥＤ素子４１〜４５は、青色ＬＥＤに限らず、例えば紫色ＬＥＤまたは近紫外ＬＥＤであってもよく、その発光波長帯域は、紫外域を含む２００〜４６０ｎｍ程度の範囲内であってもよい。ＬＥＤ素子４１〜４５は、それぞれ、金属基板１０の中央領域１１１および外周領域１１２〜１１５に、発光面を金属基板１０とは反対側に向けて、例えば透明な絶縁性の接着剤などにより固定されている。
【００３４】
ＬＥＤ素子４１は、第１の複数のＬＥＤ素子の一例であり、樹脂枠３０の内側における正方形の中央領域１１１を埋め尽くすように、中央領域１１１上に正方格子状に実装（正方実装）されている。図３における縦方向に一直線状に並ぶ２６個のＬＥＤ素子４１がワイヤ４６により直列に接続され、この２６個のＬＥＤ素子４１が１つのグループを構成している。各グループの両端のＬＥＤ素子４１から出たワイヤ４６は、配線パターン２２Ｃまたは配線パターン２３Ｃに接続されており、発光装置１では、２６グループのＬＥＤ素子４１が、配線パターン２２Ｃと配線パターン２３Ｃの間に並列に接続されている。すなわち、発光装置１では２６×２６＝６７６個のＬＥＤ素子４１が互いに直並列に接続されている。
【００３５】
ＬＥＤ素子４２は、第２の複数のＬＥＤ素子の一例であり、外周領域１１２に実装されている。計２６個のＬＥＤ素子４２はすべて直列接続され、両端のＬＥＤ素子４２から出たワイヤ４６は、配線パターン２２Ｂまたは配線パターン２３Ｃに接続されている。
【００３６】
ＬＥＤ素子４３は、第３の複数のＬＥＤ素子の一例であり、外周領域１１３に実装されている。計２６個のＬＥＤ素子４３はすべて直列接続され、両端のＬＥＤ素子４３から出たワイヤ４６は、配線パターン２２Ｃまたは配線パターン２３Ａに接続されている。
【００３７】
ＬＥＤ素子４４は、第４の複数のＬＥＤ素子の一例であり、外周領域１１４に実装されている。計２６個のＬＥＤ素子４４はすべて直列接続され、両端のＬＥＤ素子４４から出たワイヤ４６は、配線パターン２２Ｃまたは配線パターン２３Ｂに接続されている。
【００３８】
ＬＥＤ素子４５は、第５の複数のＬＥＤ素子の一例であり、外周領域１１５に実装されている。計２６個のＬＥＤ素子４５はすべて直列接続され、両端のＬＥＤ素子４５から出たワイヤ４６は、配線パターン２２Ａまたは配線パターン２３Ｃに接続されている。
【００３９】
図３に示すように、ＬＥＤ素子４１は、２６行×２６列の格子状に正方実装されているため、その配置は基板５の中心に関して９０度回転対称である。また、ＬＥＤ素子４２〜４５は、外周領域１１２〜１１５において、それぞれその直線状の縁部を底辺とする２等辺３角形状に配置されているため、ＬＥＤ素子４２〜４５の配置も、基板５の中心に関して９０度回転対称である。したがって、ＬＥＤ素子４１〜４５の全体の配置も、基板５の中心に関して９０度回転対称である。ＬＥＤ素子４１〜４５は、全体として、樹脂枠３０内の円形領域をほぼ埋め尽くすように配置されている。
【００４０】
ＬＥＤ素子４２〜４５は、すべてＬＥＤ素子４１に並列に接続されている。ＬＥＤ素子４１〜４５の素子１個当たりの順方向電圧をそれぞれＶｆ１〜Ｖｆ５とおくと、電極端子２４，２５の間にそれぞれ２６×Ｖｆ１〜２６×Ｖｆ５以上の電圧を印加することにより、すべてのＬＥＤ素子４１〜４５が発光する。
【００４１】
発光装置１では、ＬＥＤ素子４２〜４５はそれぞれ２６個ずつあり、ＬＥＤ素子４１の１つの直列接続に含まれる素子数も２６個である。したがって、ＬＥＤ素子４２〜４５のそれぞれの個数は、ＬＥＤ素子４１の１つの直列接続に含まれる素子数に等しい。ただし、ＬＥＤ素子４２〜４５のそれぞれの個数は、ＬＥＤ素子４１の１つの直列接続に含まれる素子数の整数倍に等しくてもよい。この場合には、外周領域１１２〜１１５にＬＥＤ素子４２〜４５がそれぞれ２６×ｎ個実装され、それらが２６個ずつ直列接続され、ｎグループの直列接続が配線パターン２２，２３の間に並列接続される。このように、ＬＥＤ素子４１〜４５の各直列接続に含まれる素子数を等しくすることにより、通電時の各ＬＥＤ素子の動作が安定する。
【００４２】
封止樹脂５０は、樹脂枠３０により囲まれる中央領域１１１、外周領域１１２〜１１５および接続領域２６２〜２６５の上の空間に充填されて、計７８０個のＬＥＤ素子４１〜４５およびそれらを互いに接続するワイヤ４６を一体的に封止（保護）する。封止樹脂５０は、例えば、エポキシ樹脂またはシリコーン樹脂などの無色かつ透明な樹脂で構成される。
【００４３】
封止樹脂５０には、ＬＥＤ素子４１〜４５からの出射光の波長を変換する蛍光体が分散混入されている。ＬＥＤ素子４１〜４５として青色ＬＥＤを使用する場合には、封止樹脂５０は、例えば、ＬＥＤ素子４１〜４５が出射した青色光を吸収して黄色光に波長変換する、ＹＡＧ（yttrium aluminum garnet）などの黄色蛍光体を含有してもよい。この場合、発光装置１は、青色ＬＥＤであるＬＥＤ素子４１〜４５からの青色光と、それによって黄色蛍光体を励起させて得られる黄色光とを混合させることで、白色光を出射する。
【００４４】
あるいは、封止樹脂５０は、例えば緑色蛍光体と赤色蛍光体などの複数種類の蛍光体を含有してもよい。緑色蛍光体は、ＬＥＤ素子４１〜４５が出射した青色光を吸収して緑色光に波長変換する、例えば（ＢａＳｒ）２ＳｉＯ４：Ｅｕ２＋などの粒子状の蛍光体材料である。赤色蛍光体は、ＬＥＤ素子４１〜４５が出射した青色光を吸収して赤色光に波長変換する、例えばＣａＡｌＳｉＮ３：Ｅｕ２＋などの粒子状の蛍光体材料である。この場合、発光装置１は、青色ＬＥＤであるＬＥＤ素子４１〜４５からの青色光と、それによって緑色蛍光体および赤色蛍光体を励起させて得られる緑色光および赤色光とを混合させることで、白色光を出射する。
【００４５】
封止樹脂５０によって覆われた領域が、発光装置１の発光領域（発光部）である。すなわち、発光装置１の発光部は、ＬＥＤ素子４１〜４５と蛍光体含有の封止樹脂５０との組合せで構成される。発光装置１では、ＬＥＤ素子４２〜４５がＬＥＤ素子４１に並列に接続されているため、電極端子２４，２５を外部電源に接続することにより、ＬＥＤ素子４１〜４５はすべて一括で点灯する。また、ＬＥＤ素子４１〜４５はすべて同色に発光する素子であり、中央領域１１１と外周領域１１２〜１１５の５つは、すべて同じ発光色のエリアである。このため、発光装置１では、中央領域１１１と外周領域１１２〜１１５の全体で、１つの大きな円形の発光部が構成される。
【００４６】
図４は、レンズ６０付きの発光装置２の概略構成図である。図４に示すように、発光装置１の使用時には、封止樹脂５０を覆うように基板５の上にレンズ６０を載置するとよい。レンズ６０は、光学素子の一例であり、ＬＥＤ素子４１〜４５から封止樹脂５０を通して出射した光を集光する。例えば、発光装置１を投光器などの光源として利用する場合には、レンズ６０を用いて、発光装置１からの出射光をその中心軸付近に集光することが好ましい。
【００４７】
図５（Ａ）および図５（Ｂ）は、それぞれ、発光装置１と比較例の発光装置１００の素子配置を示す上面図である。図５（Ａ）に示す発光装置１は、図１〜図３を用いて今まで説明してきたものと同じである。図５（Ｂ）に示す比較例の発光装置１００は、基板５上の外周領域１１２〜１１５にＬＥＤ素子４２〜４５が実装されていない点を除いて、発光装置１と同じ構成を有する。すなわち、発光装置１００内のＬＥＤ素子は、円形の樹脂枠３０内における正方形の中央領域１１１に正方格子状に実装されたＬＥＤ素子４１だけであり、発光装置１００は正方形の発光領域（発光部）を有する。
【００４８】
図６（Ａ）および図６（Ｂ）は、発光装置１と発光装置１００とで照射ムラの程度を比較するための写真である。図６（Ａ）では図５（Ａ）の発光装置１からの出射光による照射面を、図６（Ｂ）では図５（Ｂ）の発光装置１００からの出射光による照射面を、それぞれ示している。これらの写真は、それぞれ、発光装置１，１００の上に図４のレンズ６０を載置して各発光装置を発光させたときの照射面を撮影したものである。図６（Ｂ）では、発光装置１００の発光領域が正方形であることを反映して、照射面上に光の矩形の輪郭（照射ムラ）が見える。一方、図６（Ａ）では、発光装置１の発光領域が円形であることにより、こうした照射ムラはほとんど識別できない程度にまで軽減されている。
【００４９】
発光装置１では、正方形の中央領域１１１にＬＥＤ素子４１を正方実装するとともに、中央領域１１１と樹脂枠３０の間にある４つの外周領域１１２〜１１５（中央領域１１１の四方）にもＬＥＤ素子４２〜４５を実装することにより、発光装置１００と比べて発光部を円形に近付けられる。このため、図６（Ａ）と図６（Ｂ）を比較すると分かるように、発光装置１では、発光装置１００と比べて照射ムラ（照射面の輝度ムラ）が軽減される。しかも、発光装置１では、中央領域１１１においてＬＥＤ素子４１を狭い間隔で正方格子状に実装でき、中央領域１１１での実装密度が高くなるので、軸光度も高くなる。
【００５０】
図７（Ａ）〜図７（Ｃ）は、発光装置１の製造工程を示す上面図である。これらの図では、簡単のため、図３に示したものとはＬＥＤ素子４１〜４５の個数を少なく記載している。
【００５１】
発光装置１の製造時には、まず、図２（Ｃ）に示した基板５が用意され、図７（Ａ）に示すように、金属基板１０上の中央領域１１１にＬＥＤ素子４１が、外周領域１１２〜１１５にＬＥＤ素子４２〜４５が、それぞれ実装される。続いて、図７（Ｂ）に示すように、中央領域１１１と外周領域１１２〜１１５のそれぞれにおいて、ＬＥＤ素子４１〜４５同士がワイヤ４６で２６個ずつ直列接続される。直列接続の各グループの端部に位置するＬＥＤ素子４１〜４５から出たワイヤ４６は、配線パターン２２または配線パターン２３に接続される。次に、図７（Ｃ）に示すように、回路基板２０の上面に樹脂枠３０が固定される。その後、樹脂枠３０により囲まれる基板５上の領域に封止樹脂５０が充填されて、ＬＥＤ素子４１〜４５およびワイヤ４６が封止される。以上の工程により、図１に示す発光装置１が完成する。
【００５２】
図８（Ａ）および図８（Ｂ）は、それぞれ、セラミック基板１０’とそれを用いた別の発光装置の基板５’の上面図である。
【００５３】
図８（Ａ）に示すように、セラミック基板１０’は、その上面にＬＥＤ素子４１〜４５の配線パターン２２，２３および電極端子２４，２５が形成された平坦な基板である。セラミック基板１０’は、開口部が形成されていない点が発光装置１の回路基板２０とは異なるが、セラミック基板１０’上の配線パターン２２，２３および電極端子２４，２５の形状および配置は、回路基板２０のものと同じである。セラミックは比較的、熱伝導率が高い材質であるため、セラミック基板１０’は、発光装置１の金属基板１０と回路基板２０の機能を兼ねている。図８（Ｂ）に示すように、基板５’は、配線パターン２２，２３の円弧部分２２Ａ，２３Ａにより画定される円周よりも中央側の部分、ならびに左上および右下の頂点付近の一部を除いて、セラミック基板１０’の上面に白色のレジスト２７を設けることで構成される。
【００５４】
基板５’では、配線パターン２２の直線部分２２ＢおよびＬ字部分２２Ｃならびに配線パターン２３の直線部分２３ＢおよびＬ字部分２３Ｃで囲まれる中央の正方形の領域が中央領域１１１に相当する。また、配線パターン２２の円弧部分２２Ａおよび配線パターン２３の円弧部分２３Ａ、ならびに直線部分２２Ｂ，２３ＢおよびＬ字部分２２Ｃ，２３Ｃで囲まれる４つの半月状の領域が、それぞれ外周領域１１２〜１１５に相当する。基板５’でも、中央領域１１１は、円形の樹脂枠３０に四隅が接触する正方形であり、外周領域１１２〜１１５は、樹脂枠３０および中央領域１１１の各辺により画定される領域である。
【００５５】
発光装置は、金属基板１０と回路基板２０で構成される基板５に代えて、図８（Ｂ）に示す基板５’を有してもよい。セラミック基板１０’により構成される基板５’を有する発光装置も、基板以外の構成は発光装置１と同じであり、上面図は図１に示したものと同じである。
【００５６】
図９（Ａ）〜図９（Ｃ）は、基板５’を有する別の発光装置の製造工程を示す上面図である。これらの図でも、簡単のため、ＬＥＤ素子４１〜４５の個数を実際の製品よりも少なく記載している。
【００５７】
基板５’を有する発光装置の製造時には、まず、図９（Ａ）に示すように、ＬＥＤ素子４１〜４５が、発光装置１のＬＥＤ素子４１〜４５と同様の配置で基板５’上に実装される。続いて、図９（Ｂ）に示すように、ＬＥＤ素子４１〜４５同士がワイヤ４６で２６個ずつ直列接続され、直列接続の各グループの端部に位置するＬＥＤ素子４１〜４５から出たワイヤ４６は、配線パターン２２または配線パターン２３に接続される。この発光装置におけるＬＥＤ素子４１〜４５の接続関係も、既に説明した発光装置１のものと同じである。次に、図９（Ｃ）に示すように、基板５’の上面に樹脂枠３０が固定される。その後、樹脂枠３０により囲まれる基板５’上の領域に封止樹脂５０が充填されて、発光装置が完成する。
【００５８】
こうして得られる発光装置でも、発光装置１と同様に、軸光度が高く、かつ照射ムラが発生しにくい。また、発光装置１では、回路基板２０の各開口部内で露出している金属基板１０の上面に直接ＬＥＤ素子４１〜４５が実装されているため、放熱牲がよく、製品寿命が長くなる。これに対し、基板５’を有する発光装置では、金属基板１０および回路基板２０に代えてセラミック基板１０’を使用するので、発光装置１と比べて、基板の構造が単純であり、かつ絶縁耐圧が向上するという利点がある。
【００５９】
上記した発光装置１の通り、四隅が円形の樹脂枠３０に接触する（樹脂枠３０の円に内接する）ように中央領域１１１を設ける方が、中央領域１１１に実装できるＬＥＤ素子４１の個数が増えるので、軸光度を高める上で好ましい。ただし、中央領域１１１の四隅が樹脂枠３０に接触することは必須ではなく、これらの四隅と樹脂枠３０との間には多少の隙間が設けられていてもよい。この場合、外周領域１１２〜１１５は、４つの半月状の領域（円弧と直線で囲まれた領域）に分かれず、互いに連結していてもよい。例えば、図２（Ｃ）における外周領域１１２，１１５が互いに連結し、外周領域１１３，１１４も互いに連結していてもよい。
【図１】
2018061889.tif 000003
【図２】
2018061889.tif 000004
【図３】
2018061889.tif 000005
【図４】
2018061889.tif 000006
【図５】
2018061889.tif 000007
【図６】
2018061889.tif 000008
【図７】
2018061889.tif 000009
【図８】
2018061889.tif 000010
【図９】
2018061889.tif 000011
【国際調査報告】
2018061889.tif 000012
2018061889.tif 000013
2018061889.tif 000014
2018061889.tif 000015